(57)【要約】【課題】繊維機械に設けられた吸引ダクトの開閉弁を改良したものであって、複数のサービス台車が共通して使用する開閉弁を適宜操作することができる。【解決手段】複数の糸処理ユニットに沿って走行可能であり、開閉弁３８の開放により、吸引ダクトに連結されて糸の吸引を伴う作業を行うサービス台車を複数台備える繊維機械であって、前記開閉弁３８は、サービス台車と係合可能な係合凹部３８ｂが形成されており、前記各サービス台車の作業範囲を規定する仮想境界線３００を定め、該仮想境界線３００を挟む一対の開閉弁３８，３８’は、複数のサービス台車と係合可能であって、サービス台車が仮想境界線３００を越えたときに、前記各係合凹部３８ｂ，３８ｂ’を、サービス台車の走行方向に対向する方向に開口させるための方向変換手段を設けた。【選択図】図９
2005171434.tif 000002
【特許請求の範囲】
【請求項１】
複数の糸処理ユニットに沿って走行可能であり、開閉弁の開放により、吸引ダクトに連結されて糸の吸引を伴う作業を行うサービス台車を複数台備える繊維機械であって、前記開閉弁は、サービス台車と係合可能な係合凹部が形成されており、前記各サービス台車の作業範囲を規定する仮想境界線を定め、該仮想境界線を挟む一対の開閉弁は、複数のサービス台車と係合可能であって、サービス台車が仮想境界線を越えたときに、前記各係合凹部を、サービス台車の走行方向に対向する方向に開口させるための方向変換手段を設けたことを特徴とするサービス台車を備えた繊維機械。
【請求項２】
前記方向変換手段は、前記仮想境界線を挟む一対の開閉弁の係合凹部が、互いに反対方向を向くように方向決めされるべく、開閉弁同士を連結するリンク機構であることを特徴とする請求項１に記載のサービス台車を備えた繊維機械。
【請求項３】
前記リンク機構は、互いの係合凹部を内側に向かせるように開閉弁を方向変換させる第１位置と、外側に向かせるように方向変換させる第２位置との間で摺動可能な回動軸と、該回動軸の第１位置と第２位置との間で摺動する際の通路を規定する規制ガイド部材とを有していることを特徴とする請求項２に記載のサービス台車を備えた繊維機械。
【発明の詳細な説明】
【技術分野】
【０００１】
本発明は、サービス台車を備えた繊維機械に関し、特に吸引ダクトの開閉弁の改良に関する。
【背景技術】
【０００２】
繊維機械は、多数の糸処理ユニットを並設しており、例えば、スライバ等の原料から紡績糸を生成する紡績機の場合、糸処理ユニットとなる紡績ユニットの糸継ぎや玉揚げ作業をサービス台車が行っている。このサービス台車は、繊維機械に設けたレール上に沿って走行し、所望の紡績ユニットで停止して糸継ぎ・玉揚げ作業を行うものである。サービス台車には、糸継ぎ・玉揚げ作業に要する糸条を吸引把持するための手段が設けられており、この手段が要する吸引作用は、紡績機に設けた吸引ダクトへ連結することによって得られるよう構成されている。図１０の如く、サービス台車Ｃの両側には、紡績ユニット３での玉揚げ作業をする玉揚げユニットＣ１と、糸継ぎ作業をする糸継ぎユニットＣ２が設けられており、これらのユニットＣ１，Ｃ２の間に、吸引ダクト３０に連結するための連結パイプ２２が設けられている。この連結パイプ２２は、吸引ダクト３０の高さに合わせて設けられており、サービス台車Ｃの走行に伴って吸引ダクト３０の面上に沿って滑動する。図１１の如く、吸引ダクト３０には、各紡績ユニット３の位置毎に開口３０ｂが設けられており、各開口３０ｂに開閉弁３８が設けられている。開閉弁３８は、中央に設けられた軸３８ａを支点として回動自在であって、この回動によって開口３０ｂを開閉するよう構成されている。更に、開閉弁３８には、係合凹部３８ｂが形成されており、連結パイプ２２を所望の開口３０ｂに位置させることにより、係合凹部３８ｂが開口３０ｂに位置し、これによって開口３０ｂを開放し、連結パイプ２２がこの開口３０ｂを介して吸引ダクト３０に連結する（特許文献１参照）。
【０００３】
例えば、８０錘の紡績ユニット３を備えた紡績機に、２台のサービス台車Ｃ，Ｃ’を設置した場合（特許文献２参照）、図１２に示すように各サービス台車Ｃ，Ｃ’の作業範囲を規定する仮想境界線３００が、４０番目と４１番目の紡績ユニット３，３の間に定められる。従って、図７の如く、サービス台車Ｃ，Ｃ’の玉揚げ・糸継ぎユニットＣ１，Ｃ２の間に連結パイプ２２，２２が設けられている場合、仮想境界線３００を挟む一対の開口３０ｂ，３０ｂ’は、２台のサービス台車Ｃ，Ｃ’が共通して使用することになる。即ち、図７Ａの如く、サービス台車Ｃの玉揚げユニットＣ１により４０錘目の玉揚げを行う場合、隣の作業範囲に属する開口３０ｂを使用し、図７Ｂの如く、サービス台車Ｃ’の糸継ぎユニットＣ２’により４１番目の糸継ぎを行う場合、隣の作業範囲に属する開口３０ｂ’を使用することになる。しかしながら、上記した開閉弁３８の構成によれば、図１２の如く、４０錘目の開閉弁３８の係合凹部３８ｂが左側を向いている場合、右側から移動する連結パイプ２２’は、この係合凹部３８ｂに係合することができないので、開閉弁３８を操作することができず開口３０ｂ’に連結することができない問題がある。
【特許文献１】実公昭５８−３４１１７号公報
【特許文献２】特開平１１−１０７０７８号公報
【発明の開示】
【発明が解決しようとする課題】
【０００４】
本発明は、繊維機械に設けられた吸引ダクトの開閉弁を改良したものであって、複数のサービス台車が共通して使用する開閉弁を適宜操作することができるサービス台車を備えた繊維機械を提供する。
【課題を解決するための手段】
【０００５】
本発明に係るサービス台車を備えた繊維機械は、複数の糸処理ユニットに沿って走行可能であり、紡績ユニット毎に設けた開閉弁の開放により、吸引ダクトに連結されて糸の吸引を伴う玉揚げ・糸継ぎ作業等を行うサービス台車を複数台備えており、これらの開閉弁は、サービス台車と係合可能な係合凹部が形成されており、前記各サービス台車の作業範囲を規定する仮想境界線を定め、この仮想境界線を挟む一対の開閉弁は、複数のサービス台車と係合可能であって、サービス台車が仮想境界線を越えたときに、各係合凹部を、サービス台車の走行方向に対向する方向に開口させるための方向変換手段を設けたことを特徴とする。
【０００６】
好ましくは、前記方向変換手段は、仮想境界線を挟む一対の開閉弁の係合凹部が、互いに反対方向を向くように方向決めされるべく、開閉弁同士を連結するリンク機構である。
【０００７】
更に好ましくは、前記リンク機構は、互いの係合凹部を内側に向かせるように開閉弁を方向変換させる第１位置と、外側に向かせるように方向変換させる第２位置との間で摺動可能な回動軸と、該回動軸の第１位置と第２位置との間で摺動する際の通路を規定する規制ガイド部材とを有していることを特徴とする。
【発明の効果】
【０００８】
本発明によれば、サービス台車を複数台備えた繊維機械において、各サービス台車に設けられた連結パイプが共通して使用する開閉弁を確実に動作させることができる。更に、サービス台車に設ける連結パイプの位置に拘泥されることがないので、種々のサービス台車を繊維機械に搭載することができ、汎用性、経済性等に極めて優れている。
【発明を実施するための最良の形態】
【０００９】
以下、添付図面に基づいて本発明の実施例について詳細に説明する。
【００１０】
図１は、２台のサービス台車を備えた紡績機の全体を示す正面図である。図２は、図１の一部を示す拡大正面図、図３は、繊維機械の主要部を示す側面図である。図１の如く、本実施例の繊維機械は、原動機ボックス１とダストボックス２との間に、８０錘の紡績ユニット３，３，３・・・が機台長手方向に並設されている。そして、この繊維機械は、各紡績ユニット３，３・・・に沿ってレール１６が備えられており、２台のサービス台車Ｃ，Ｃ’がこのレール１６上を往復走行可能なよう配置されている。各サービス台車Ｃ，Ｃ’は、玉揚げユニットＣ１及び糸継ぎユニットＣ２を有しており、この玉揚げ・糸継ぎユニットＣ１，Ｃ２が各紡績ユニット３の糸継ぎ作業・玉揚げ作業を行う。この実施例では、左側に位置するサービス台車Ｃが、紡績ユニット群３，３・・・の左半分（１〜４０番目）を作業し、右側に位置するサービス台車Ｃ’が、紡績ユニット群３，３・・・の右半分（４１〜８０番目）を作業する。
【００１１】
図２及び図３の如く、紡績ユニット３は、バックローラ４、サードローラ１５、ミドルローラ５及びフロントローラ６を有するドラフト装置７、空気噴射ノズルを有する紡績部８、この紡績部８により生成・形成された紡績糸Ｙを引き出すニップローラ９、紡績糸Ｙの太糸部分（スラブ）を検出するスラブキャッチャ１０、及び巻取りパッケージ１１に紡績糸Ｙをトラバースしながら巻き取る巻取部１２等により構成されている。ドラフト装置７へ供給されるスライバＳは、機台背面に設けたスライバケンスから引き出されてバックローラ４へ供給される。
【００１２】
サービス台車Ｃ’（Ｃ）は、糸端吸引捕捉手段である回動可能なサクションマウス１９・サクションパイプ１８を備えており、サクションマウス１９は、巻取りパッケージ１１からの下糸を吸引把持して上方へ引き出し、サクションパイプ１８は、紡出された糸を紡績部８の糸排出口附近で把持して下方へ引き出すものである。
【００１３】
各サービス台車Ｃ’（Ｃ）は、前記の如く、玉揚げ作業を行う玉揚げユニットＣ１’（Ｃ１）、糸継ぎ作業を行う糸継ぎユニットＣ２’（Ｃ２）を備えている。各紡績ユニット３のパッケージ１１が満巻きになったとき、その紡績ユニット３に玉揚げユニットＣ１，Ｃ１’が位置するようにサービス台車Ｃ，Ｃ’が停止し、玉揚げユニットＣ１’（Ｃ１）が、満巻きのパッケージ１１を回収すると共に、糸端吸引捕捉手段１７で紡出側の糸端を吸引捕捉することにより、紡出される糸を次の空ボビンに導き、巻き取り動作をさせる。又、紡績ユニット３に糸切れが生じたとき、その紡績ユニット３に糸継ぎユニットＣ２，Ｃ２’が位置するようにサービス台車Ｃ，Ｃ’を停止させ、糸継ぎユニットＣ２’（Ｃ２）が、サクションマウス１９・サクションパイプ１８が巻取り側と紡出側の糸を吸引把持し、ノッターやスプライサ等の糸継ぎ器に導き、糸継ぎ作業をする。
【００１４】
スラブキャッチャ１０により糸切れ等の糸異常が検出された紡績ユニット３から糸継ぎ要求があると、サービス台車Ｃ，Ｃ’はその要求した紡績ユニット３まで移動して糸継ぎ作業を行うよう作動する。又、満巻き状態検出手段により巻取りパッケージ１１の満巻き状態が検出された紡績ユニット３から玉揚げ要求があると、このサービス台車Ｃ，Ｃ’はその紡績ユニット３まで移動させて玉揚げ作業を行うよう作動する。そして、玉揚げ作業又は糸継ぎ作業を終了すると、各サービス台車Ｃ，Ｃ’は、次の満巻き・糸切れが検出された紡績ユニット３があれば該当ユニットへ走行し、作業をする。
【００１５】
サービス台車Ｃ，Ｃ’のサクションパイプ１８等は、ダストボックス２内のブロア３１に連結することにより、このブロア３１の吸引作用を利用して糸端を吸引捕捉している。ダストボックス２内には、更にブロア６１が設けられており、このブロア６１は、紡績部８で発生する風綿回収のために用いられ、ブロア３１は糸屑回収のためにも用いられる。各ブロア３１，６１は、ブロアモータ３２，６２により駆動されている。ブロア６１は、機台の上部に配置されるダクト２０に連結されており、このダクト２０による吸引作用により、常時、紡績部８及びドラフト装置７で発生した風綿等をダストボックス２内に吸引回収している。又、繊維機械の下部には、ブロア３１に連結されたダクト３０が設けられており、サービス台車Ｃ，Ｃ’がこのダクト３０に連結することにより、ブロア３１による吸引作用をサクションパイプ１８等に発生させる。
【００１６】
次に、ダクト３０とサービス台車Ｃとの連結部分について詳細に説明する。図４は、紡績機の一部を示す平面図であり、図５は、ダクト３０の一部を示す斜視図である。図６は、ダクト３０とサービス台車Ｃとの連結部を示す側面図である。図４及び図５の如く、ダクト３０におけるサービス台車Ｃが走行する側の面３０ａには、各紡績ユニット３，３・・・の位置毎に円状の開口３０ｂが設けられている。各開口３０ｂは、開閉弁３８によって開閉可能に構成されており、この開閉弁３８は、ダクト３０の面３０ａにピン３８ａを介して回動可能に設けられている。そして、図４及び図６の如く、サービス台車Ｃには、連結パイプ２２が設けられており、この連結パイプ２２はサクションマウス１９等に連通されている。連結パイプ２２は、ダクト３０側の端部に連結口２２ａを有しており、この連結口２２ａは、ダクト３０の面３０ａに接触している。
【００１７】
図５における状態ＣＬのように、サービス台車Ｃが開口３０ｂに連結していないときは、開口３０ｂは開閉弁３８によって閉じられている。そして、サービス台車Ｃが走行することにより、連結口２２ａがダクト面３０ａを接触しつつ移動し、紡績ユニット３の開口３０ｂの位置に停止すると、図５の状態ＯＰのように、連結口２２ａが開閉弁３８に形成された係合凹部３８ｂに係合し、ピン３８ａの周りに開閉弁３８を回動し、開口３０ｂと連結口２２ａ（点線）とを連通する。それによって、連結パイプ２２とダクト３０とが連結し、サクションマウス１９等に吸引作用が生じる。
【００１８】
図７は、繊維機械の一部を示す平面図である。図７の如く、サービス台車Ｃ，Ｃ’は、機台長手方向において、３台の紡績ユニット３の幅に相当する大きさをなしており、両側に玉揚げユニットＣ１と糸継ぎユニットＣ２とを有し、中央に連結パイプ２２が設けられている。そして、図７のＡの如く、紡績ユニット群３，３・・・の左半分（１〜４０番目）を作業範囲とするサービス台車Ｃが、４０番目の紡績ユニット３の玉揚げ作業をする際、その連結パイプ２２は、サービス台車Ｃの作業範囲でない隣の作業範囲に属する４１番目の紡績ユニット３に位置する開口３０ｂに連結して作業をする。更に、図７のＢの如く、紡績ユニット群３，３・・・の右半分（４１〜８０番目）を作業範囲とするサービス台車Ｃ’が、４１番目の紡績ユニット３の糸継ぎ作業をする際、その連結パイプ２２’は、サービス台車Ｃ’の作業範囲でない隣の作業範囲に属する４０番目の紡績ユニット３に位置する開口３０ｂ’に連結して作業をする。従って、各サービス台車Ｃ，Ｃ’の作業範囲を規定する仮想境界線３００を、４０番目と４１番目の紡績ユニット３，３の間に定めると、この仮想境界線３００を挟む一対の開口３０ｂ，３０ｂ’は、それぞれのサービス台車Ｃ，Ｃ’が連結することになる。
【００１９】
図８は、仮想境界線を挟む一対の開閉弁を示す図であり、Ａは正面図、Ｂは平面図である。図８の如く、仮想境界線３００を挟む一対の開閉弁３８，３８’は、方向変換手段が設けられており、この方向変換手段によって、開閉弁３８，３８’に形成された係合凹部３８ｂ，３８ｂ’が、サービス台車Ｃの走行方向に対向する方向に開口するよう構成されている。この方向変換手段は、本実施例では、リンク機構からなっており、一対のリンク部材３９，３９’の一端側が、ピン３９ａ，３９ａ’によって、それぞれの開閉弁３８，３８’に軸支されており、各リンク部材３９，３９’の他端側が、回動軸３９ｂによって回動自在に連結されている。そのため、各開閉弁３８，３８’のいずれか一方の動作によって、それぞれの係合凹部３８ｂ，３８ｂ’は、反対方向を向くよう方向決めされている。即ち、一方の開閉弁３８の係合凹部３８ｂが右側を向くときは、他方の開閉弁３８’の係合凹部３８ｂは左側を向き、一方の開閉弁３８の係合凹部３８ｂが左側を向くときは、他方の開閉弁３８’の係合凹部３８ｂは右側を向く。
【００２０】
更に、回動軸３９ｂの両側には、一対の規制ガイド部材４０，４０’が設けられており、各規制ガイド部材４０，４０’の間には、スライド部材４１が設置されている。スライド部材４１は、回動軸３９ｂに取付けられていると共に、各ガイド部材４０，４０’に沿って摺動可能に係合されている。そのため、この規制ガイド部材４０，４０’は、互いの係合凹部３８ｂ，３８ｂ’を内側に向かせるように開閉弁３８，３８’を方向変換する第１位置と、外側に向かせるように方向変換させる第２位置との間で、回動軸３９ｂの間で摺動する際の通路を規定しつつ、前後左右に揺動せずに上下にのみ移動するよう規制している。
【００２１】
図９は、図８の開閉弁を示し、Ａ、Ｂ及びＣの順に従って各開閉弁の動作を説明するための図である。図９のＡでは、連結パイプ２２’が、一方の開閉弁３８の右側に位置しており、各開閉弁３８，３８’の係合凹部３８ｂ，３８ｂ’は外側を向き、互いに反対方向を向いている。その際、一方の開閉弁３８の係合凹部３８ｂは、連結パイプ２２’が走行する方向に対向する方向に開口している。その後、連結パイプ２２’が一方の開閉弁３８の係合凹部３８ｂを通過して仮想境界線３００を越える時には、図９のＢの如く、一方の開閉弁３８の係合凹部３８ｂが左側を向き、リンク機構３９，３９’によってこれに連動して、他方の開閉弁３８’の係合凹部３８ｂ’が右側を向くので、互いの係合凹部３８ｂ，３８ｂ’は内側に向き、互いに反対方向を向く。これにより、連結パイプ２２’が、係合凹部３８ｂ’と対向し、係合可能な状態となる。そして、図９のＣの如く、連結パイプ２２’を、他方の開閉弁３８’の係合凹部３８ｂ’に位置させると共に開口３０ｂ’に位置させることにより、連結パイプ２２’と開口３０ｂ’とが連通する。この状態で、サービス台車Ｃ’がダクト３０による吸引作用により、糸継ぎ作業を行った後、連結パイプ２２’（サービス台車Ｃ’）は、往復動範囲の端部に位置しているため再び右側に向かうべくターンする。従って、連結パイプ２２’は、図９のＢの状態を経て、図９のＡのように右方向に移動する。図９のＡにおける開閉弁３８，３８’の状態において、連結パイプ２２が、左側から開口３０ｂに連結する場合においても、前記と同様の動作がなされる。即ち、連結パイプ２２が他方の開閉弁３８’の係合凹部３８ｂ’を通過して仮想境界線３００を越える時には、一方の開閉弁３８の係合凹部３８ｂに係合し、連結パイプ２２と開口３０ｂとを連通することができる。
【００２２】
上記形態においては紡績機について述べたが、多数の糸処理ユニットに沿って走行可能なサービス台車を複数備えるものであれば他の繊維機械に適用してもよい。
【図面の簡単な説明】
【００２３】
【図１】２台のサービス台車を備えた繊維機械の全体一例としての紡績機を示す概略正面図である。
【図２】図１の一部を示す拡大正面図である。
【図３】紡績機の主要部を示す側面図である。
【図４】紡績機の一部を示す平面図である。
【図５】吸引ダクトの一部を示す斜視図である。
【図６】吸引ダクトとサービス台車との連結部を示す側面図である。
【図７】紡績機の一部を示す平面図である。
【図８】境界を挟む一対の開閉弁を示す図である。
【図９】図８の開閉弁の動作を示す説明図である。
【図１０】紡績機の説明図である。
【図１１】開閉弁と連結パイプの連結動作を示す説明図である。
【図１２】開閉弁と連結パイプの関係を示す図である。
【符号の説明】
【００２４】
３  紡績ユニット
Ｃ，Ｃ’  サービス台車
Ｃ１，Ｃ１’  玉揚げユニット
Ｃ２，Ｃ２’  糸継ぎユニット
２２，２２’  連結パイプ
２２ａ  連結パイプの連結口
３０  ダクト
３０ａ  サービス台車が走行する側の面
３０ｂ，３０ｂ’  開口
３８，３８  開閉弁
３９，３９’  リンク部材
３９ａ，３９ａ’  ピン
３９ｂ  回動軸
４０，４０’  規制ガイド部材
４１，４１’  スライド部材
３００  各サービス台車の作業範囲を規定する仮想境界線
【図１】
2005171434.tif 000003
【図２】
2005171434.tif 000004
【図３】
2005171434.tif 000005
【図４】
2005171434.tif 000006
【図５】
2005171434.tif 000007
【図６】
2005171434.tif 000008
【図７】
2005171434.tif 000009
【図８】
2005171434.tif 000010
【図９】
2005171434.tif 000011
【図１０】
2005171434.tif 000012
【図１１】
2005171434.tif 000013
【図１２】
2005171434.tif 000014